(57)【要約】      （修正有）【課題】長期間繰り返して使用しても固定状態が良好で、被った状態で固定状態を調節できるヘルメット装着具及びヘルメットを提供する。【解決手段】ヘルメット１Ａ内部に配設されるヘルメット装着具２は、頭部の頭頂部周辺に配設されるハンモック３０と、ハンモック３０の一部に連続して前記頭部の周囲を囲繞するように配設されるヘッドバンド３１とを備え、ヘッドバンド３１は、頭部の周囲方向に連続する帯状のヘッドバンド本体部３２とヘッドバンド本体部３２の間の少なくとも一箇所に形成された間隙部とを有し、ヘッドバンド本体部３２の端部同士が間隙部において顎紐４５によって連結され、顎紐４５を引くことで端部同士が近接方向に引き寄せられてヘッドバンド本体部３２を頭部に密着させて装着させるように形成される。【選択図】図１
2010189803.tif 000002
【特許請求の範囲】
【請求項１】
ヘルメット帽体の内部に配設され、頭部に装着させるヘルメット装着具であって、
該ヘルメット装着具は、前記頭部の頭頂部周辺に配設されるハンモックと、該ハンモックの一部に連続して前記頭部の周囲を囲繞するように配設されるヘッドバンドとを備え、
該ヘッドバンドは、前記頭部の周方向に連続する帯状のヘッドバンド本体部と該ヘッドバンド本体部の間の少なくとも一箇所に形成された間隙部とを有し、前記ヘッドバンド本体部の端部同士が前記間隙部において顎紐によって連結され、該顎紐を引くことで前記端部同士が近接方向に引き寄せられて前記ヘッドバンド本体部を前記頭部に密着させて装着させるように形成されたことを特徴とするヘルメット装着具。
【請求項２】
前記間隙部は前記頭部に装着された際に側頭部の位置に形成されたことを特徴とする請求項１に記載のヘルメット装着具。
【請求項３】
前記ヘッドバンド本体部は前記頭部に装着された際に前頭部側に配設される前頭部側部材と前記頭部に装着された際に後頭部側に配設される後頭部側部材とを備え、前記間隙部は右側頭部側間隙部と左側頭側間隙部とから成ることを特徴とする請求項２に記載のヘルメット装着具。
【請求項４】
請求項１乃至３の何れか一つに記載のヘルメット装着具と、該ヘルメット装着具が内部に配設されたヘルメット帽体とを備えたヘルメットであって、
前記ヘルメット帽体の外部の少なくとも一部に、該ヘルメット帽体の上に同一構成のを積み重ねた際に該ヘルメットの前記ヘッドバンド本体部が当接される載置用突起部が突設されたことを特徴とするヘルメット。
【請求項５】
前記ヘルメット帽体は複数の多角形の組み合わせによって頭部を覆う形状に形成されたことを特徴とする請求項４に記載のヘルメット。
【請求項６】
前記ヘルメット帽体は樹脂により一体形成されたことを特徴とする請求項４又は５に記載のヘルメット。
【発明の詳細な説明】
【技術分野】
【０００１】
本発明は、ヘルメットを頭部に固定させるヘルメット装着具及びこのヘルメット装着具を備えたヘルメットに関する。
【背景技術】
【０００２】
ヘルメットは、如何なる状況でも装着者の頭部を確実に保護するため、装着者の頭部に固定される必要がある。従来、ヘルメットを装着者の頭部に固定するものとして、ヘルメットの左右のあごひもを各々掛装するためのひも掛穴を左右に形成したあごひも用後部掛け具本体を備え、ヘルメットの後部内側に取り付けるための２本のスライド片または保持片をあごひも用後部掛け具本体に傾動自在に設けたあごひも用後部掛け具、及びこのあごひも用後部掛け具を備えたヘルメットが知られている（例えば、特許文献１参照）。また、ヘッドバンドを構成する非伸縮性樹脂成形体からなるバンド本体の一部に伸縮性バンドを介設したヘルメット用ヘッドバンドが知られている（例えば、特許文献２参照）
【先行技術文献】
【特許文献】
【０００３】
【特許文献１】特開平１０−８８４１４号公報
【特許文献２】特開２００６−１３８０３９号公報
【発明の開示】
【発明が解決しようとする課題】
【０００４】
しかし、特許文献１に記載の発明においては、ヘルメット内部に配設されるハンモック及びヘッドバンドの他にヘルメット用ヘッドバンドを設けなければならず、構成が複雑化するという問題がある。また、特許文献２に記載の発明においては、伸縮性バンドの一部をゴム等の伸縮性のある部材で形成しなければならないため、繰り返しの使用や時間の経過に伴って伸縮性バンドの伸縮性が損なわれ、ヘルメットを頭部にしっかり固定することが難しくなるという問題がある。更に、特許文献１及び２においては、ヘルメットを頭に被った状態で固定状態を調節することができないため、良好なフィット感を得ることが難しいという問題がある。
【０００５】
本発明は上記の問題に鑑みてなされたものであり、簡単な構成によりヘルメットを頭部に固定でき、長期間繰り返して使用しても良好な固定状態が得られ、ヘルメットを頭部に被った状態で固定状態を調節して良好なフィット感を得ることができるヘルメット装着具及びこのヘルメット装着具を備えたヘルメットを提供することを課題としている。
【課題を解決するための手段】
【０００６】
かかる課題を達成するために、請求項１に記載の発明は、ヘルメット帽体の内部に配設されて該ヘルメット帽体を備えたヘルメットを頭部に装着させるヘルメット装着具であって、該ヘルメット装着具は、前記頭部の頭頂部周辺に配設されるハンモックと、該ハンモックの一部に連続して頭部の周囲を囲繞するように配設されるヘッドバンドとを備え、該ヘッドバンドは、前記頭部の周囲方向に連続する帯状のヘッドバンド本体部と該ヘッドバンド本体部の間の少なくとも一箇所に形成された間隙部とを有し、前記ヘッドバンド本体部の端部同士が前記間隙部において顎紐によって連結され、該顎紐を引くことで前記端部同士が近接方向に引き寄せられて前記ヘッドバンド本体部を前記頭部に密着させて装着させるように形成されたことを特徴とする。
【０００７】
請求項２に記載の発明は、請求項１に記載の構成に加え、前記間隙部は前記頭部に装着された際に側頭部の位置に形成されたことを特徴とする。
【０００８】
請求項３に記載の発明は、請求項２に記載の構成に加え、前記ヘッドバンド本体部は前記頭部に装着された際に前頭部側に配設される前頭部側部材と前記頭部に装着された際に後頭部側に配設される後頭部側部材とを備え、前記間隙部は右側頭部側間隙部と左側頭側間隙部とから成ることを特徴とする。
【０００９】
請求項４に記載の発明は、請求項１乃至３の何れか一つに記載のヘルメット装着具と、ヘルメット帽体とを備えたヘルメットであって、該ヘルメット帽体の外部の少なくとも一部に、同一の前記ヘルメットを積み重ねた際に該ヘルメットの前記ヘッドバンド本体部が当接される載置用突起部が突設されたことを特徴とする。
【００１０】
請求項５に記載の発明は、請求項４に記載の構成に加え、前記ヘルメット帽体は複数の多角形の組み合わせによって頭部を覆う形状に形成されたことを特徴とする。
【００１１】
請求項６に記載の発明は、請求項４又は５に記載の構成に加え、前記ヘルメット帽体は樹脂により一体成形されたことを特徴とする。
【発明の効果】
【００１２】
請求項１に記載の発明によれば、頭部の周囲を囲繞するように配設されるヘッドバンドは、頭部の周囲方向に連続する帯状のヘッドバンド本体部とヘッドバンド本体部の間の少なくとも一箇所に形成された間隙部とを有し、ヘッドバンド本体部の端部同士が間隙部において顎紐によって連結され、顎紐を引くことで端部同士が近接方向に引き寄せられてヘッドバンド本体部を頭部に密着させて装着させるように形成されたことにより、ヘルメットを頭部に固定するための特別な構成を付加することなく、ヘッドバンドと顎紐とのみによってヘルメットを頭部に固定できる。また、ヘルメットを頭部に被った使用者が顎紐を引く操作によりヘルメットを頭部に固定させて装着することができる。これにより、簡単な構成によりヘルメットを頭部に固定でき、長期間繰り返して使用しても良好な固定状態が得られ、ヘルメットを頭部に被った状態で固定状態を調節して良好なフィット感を得ることができる。
【００１３】
請求項２に記載の発明によれば、間隙部は頭部に装着された際に側頭部の位置に形成されたことにより、通常顎紐とヘッドバンドとが連結される側頭部の位置付近に間隙部及びヘッドバンド本体部の端部が配設されることになる。従って、通常の顎紐の端部とヘッドバンドとの連結位置をほぼ変えることなく、ヘッドバンドと顎紐のみによってヘルメットを頭部に固定できる。
【００１４】
請求項３に記載の発明によれば、ヘッドバンド本体部は頭部に装着された際に前頭部側に配設される前頭部側部材と頭部に装着された際に後頭部側に配設される後頭部側部材とを備え、間隙部は右側頭部側間隙部と左側頭側間隙部とから成ることにより、両側頭部の位置付近に間隙部及びヘッドバンド本体部の端部が配設されることになる。従って、通常の顎紐の両端部とヘッドバンドとの連結位置をほぼ変えることなく、ヘッドバンドと顎紐とのみによってヘルメットを頭部に固定できる。
【００１５】
請求項４に記載の発明によれば、ヘルメット帽体の外部の少なくとも一部に、同一のヘルメットを積み重ねた際にヘルメットのヘッドバンド本体部が当接される載置用突起部が突設されたことにより、同一のヘルメットを複数積み重ねた際に一のヘルメットを他のヘルメットの載置用突起部上で固定し、同一のヘルメットを複数積み重ねた際に積層状態を安定させて荷崩れを防止できる。しかも、一のヘルメットのヘッドバンド本体部の端部同士を離間させた状態で、このヘッドバンド本体部を他のヘルメット帽体の載置用突起部上に載置させることで、積層方向のかさばりを抑えることができる。これにより、多数のヘルメットを一度に物流させる際や陳列する際の利便性を向上させることができる。
【００１６】
請求項５に記載の発明によれば、ヘルメット帽体は複数の多角形の組み合わせによって頭部を覆う形状に形成されたことにより、多角形の組み合わせを変化させることで多様な形状を容易に形成することが可能になる。また、ヘルメット帽体の特定箇所に多角形の角を配置することで当該特定箇所の強度を高めることができる。これにより、ヘルメット帽体の形状のバリエーションを容易に増やすとともにデザイン性を高め、かつヘルメット帽体中の特定箇所の強度を容易に高めることができる。
【００１７】
請求項６に記載の発明によれば、ヘルメット帽体は樹脂により一体成形されたことにより、ラインによる大量生産に適したヘルメット帽体を提供し、歩留まりの向上とコストダウンを図ることができる。
【図面の簡単な説明】
【００１８】
上記実施の形態は本発明の例示であり、本発明が上記実施の形態に限定されることを意味するものではないことは、いうまでもない。
【図１】この実施の形態のヘルメットの底面方向から見た斜視図である。
【図２】同上ヘルメットの底面図である。
【図３】同上ヘルメットの上面方向から見た斜視図である。
【図４】この実施の形態のヘルメットに用いるヘルメット帽体の平面図である
【図５】同上ヘルメット帽体の底面図である。
【図６】同上ヘルメット帽体の正面図である。
【図７】同上ヘルメット帽体の背面図である。
【図８】同上ヘルメット帽体の右側面図である。
【図９】この実施の形態のヘルメット装着具の正面図である。
【図１０】同上ヘルメット装着具の背面図である。
【図１１】同上ヘルメット装着具の左側面図である。
【図１２】この実施の形態のヘルメットの顎紐を下方に引く前の状態における左側面図である。
【図１３】同上ヘルメットの顎紐を下方に引く前の状態におけるＡ−Ａ線断面図である
【図１４】同上ヘルメットの顎紐を下方に引いた後の状態における左側面図である。
【図１５】同上ヘルメットの顎紐を下方に引いた後の状態におけるＡ−Ａ線断面図である。
【図１６】同上ヘルメットを複数積み重ねた状態における左側面図である。
【図１７】同上ヘルメットを複数積み重ねた状態におけるＡ−Ａ線断面図である。
【発明を実施するための形態】
【００１９】
以下、この発明の一の実施の形態について図面を参照して説明する。
【００２０】
図１乃至図１７は、この発明の実施の形態を示す。
【００２１】
図１に示す、この実施の形態のヘルメット１Ａは、工事用ヘルメットや各種作業用ヘルメット、あるいは防災用ヘルメットであり、落下物等の衝撃から装着者の頭部を保護するために用いられるものである。このヘルメット１は、図１に示す通り、ヘルメット帽体１と、このヘルメット帽体１の内部に配設されたヘルメット装着具２とから成る。
【００２２】
ヘルメット帽体１は、ＡＢＳ等、剛性が高い樹脂により一体成形されている。ヘルメット帽体１は、有色不透明、有色透明、無色透明にすることができる。
【００２３】
図４乃至図８に示す通り、ヘルメット帽体１は、多角形の形状に形成された複数の平板状の部分の組み合わせによって頭部を覆う形状に形成されている。この実施の形態においては、それぞれの平板状の部分は、三角形乃至六角形に形成され、形状や面積がそれぞれ異なっている。例えば、装着者の額の部分を被う前頭部保護部材３や前端部の庇部４は略六角形又は略四角形で比較的大きな面積に形成され、前側頭部保護部材５，６，７，８は略三角形で比較的大きな面積に形成され、頭頂部付近を保護する頭頂部保護部材９，１０，１１，１２，１３は略三角形で比較的小さな形状に形成されている。一方、保護を強化したい箇所、例えば頭頂部保護部材９，１０，１１，１２，１３で囲まれた頭頂部に配設される部分には、頂点１４が形成されている。なお、図４及び図５に示す通り、ヘルメット帽体１は左右対称に形成されている。
【００２４】
ヘルメット帽体１の前側頭部保護部材６，８と、その直下に位置する側頭部保護部材１５，１６とに跨った部分には、「載置用突起部」としての前側載置用突起部１７，１８が突設されている。また、図４，図５に示す通り、後側頭側保護部材１９，２０には、「載置用突起部」としての後側載置用突起部２１，２２が突設されている。図８に示す通り、前側載置用突起部１７，１８は正面視略矩形であり、図４に示す通り、上面が前方に向けて下降方向に傾斜がつけられた平面形状に形成されている。一方、図４及び図８に示す通り、後側載置用突起部２１，２２は正面視略三角形の三角錐形状に形成されており、図４に示す通り上面が略水平面の平面形状に形成されている。後述する通り、前側載置用突起部１７，１８、及び後側頭側保護部材１９，２０には、同一のヘルメット１Ａを複数積み重ねた際に、上に積み重ねられた他のヘルメット１Ａのヘルメット装着具２を形成するヘッドバンド本体部（後述）の下部が載置されることになる。
【００２５】
また、図５に示す通り、ヘルメット帽体１の内部には、４箇所に、被嵌合部２３，２４，２５，２６が設けられている。この被嵌合部２３，２４，２５，２６には、ヘルメット装着具２に設けられた４つの嵌合片部３５，３５，３５，３５（図２参照、後述）がそれぞれ嵌合される。
【００２６】
一方、図２、及び図９乃至図１１に示す通り、ヘルメット装着具２は、ハンモック３０とヘッドバンド３１から成る。
【００２７】
ハンモック３０は、柔軟性と剛性とを有し、繰り返しの使用や長期間の使用によっても伸びや剛性の低下が生じにくい合成樹脂、例えばポリエチレンによって形成されている。但し同様の性質を有するものであればどのような材質で形成されていてもよい。そして、ハンモック３０は、装着者の頭頂部を抑える頭頂抑え部３３と、この頭頂抑え部３３から複数延長された計４本の略帯状の延長片部３４とを有し、これら各延長片部３４の先端部には、延長片部３４の幅方向に張り出した嵌合片部３５が設けられている。これら４つの嵌合片部３５，３５，３５，３５は、図５に示すヘルメット帽体１の内部の被嵌合部２３，２４，２５，２６にそれぞれ嵌合されて、これにより図２に示すようにヘルメット装着具２がヘルメット帽体１の内部に配設された状態が形成されることになる。
【００２８】
一方、ヘッドバンド３１は、頭部の周囲方向に連続する帯状のヘッドバンド本体部３２とヘッドバンド本体部３２の間の二箇所に形成された間隙部（後述）とから成る。
【００２９】
ヘッドバンド本体部３２は、ハンモック３０と同じ素材によって形成されている。そして、ヘッドバンド本体部３２は、前頭部側に配設される前頭部側部材３６と、後頭部側に配設される後頭部側部材３７とから成る。
【００３０】
また、ヘッドバンド本体部３２は、頭部に装着された際に装着者の頭部の周囲を囲繞するように配設されている。具体的には、図２に示す通り、前頭部側部材３６と、後頭部側部材３７とは、ヘルメット１Ａが装着者の頭部に装着された際における頭部の周囲方向、即ち装着者の額部から両側頭部にかけて、並びに装着者の後頭部から両側頭部にかけてそれぞれ当接されるように帯状に連続している。
【００３１】
なお、前頭部側部材３６の両端部側の下部は下方に向けて凸となる略円弧状を形成しており（図１１、図１５参照）、後頭部側部材３７の両端部側の下部は略直線状となっている（図１１、図１５参照）。
【００３２】
そして、前頭部側部材３６と後頭部側部材３７との間の２箇所には間隙部が形成されている。即ち、図２に示すように前頭部側部材３６の一端部と後頭部側部材３７の他端部との間には、装着者の左側頭部の位置に左側頭部側間隙部３８が形成されている。また、前頭部側部材３６の他端部と後頭部側部材３７の一端部との間には、装着者の右側頭部の位置に右側頭部側間隙部３９が形成されている。
【００３３】
前頭部側部材３６の一端部側と他端部側とから、及び、後頭部側部材３７の一端部側と他端部側とからは、上方に向けて前側接合片部４０，４０、後側接合片部４１，４１がそれぞれ設けられている。これら接合片部４０，４０，４１，４１とそれぞれの嵌合片部３５，３５，３５，３５とはビス（図示せず）によって回動自在に連結されている。これによってヘッドバンド３１がハンモック３０の一部に連続した状態が形成されている。なお、この実施の形態の態様に代えて、ヘッドバンド３１とハンモック３０とを一体形成することでヘッドバンド３１がハンモック３０の一部に連続した状態を形成してもよい。
【００３４】
前頭部側部材３６の両端部側、及び後頭部側部材３７の両端部側には、それぞれ顎紐（後述）が挿通される縦長の挿通穴４２，４２、挿通穴４３，４３が貫通形成されている。
【００３５】
図９乃至図１１に示す通り、顎紐４５は、上側紐部４６と下側紐部４７とを備え、それらが連結部材４８によって連結されている。上側紐部４６と下側紐部４７とは、ポリプロピレン等剛性の高い繊維で帯状に形成されている。連結部材４８は剛性の高い樹脂や金属等によって形成されており、３箇所の細長い挿通穴４９，５０，５１が貫通形成されている。
【００３６】
上側紐部４６は、一端部が第一のリベット５２によって後頭部側部材３７に固着され（図１５参照）、連結部材４８の挿通穴５０，５１，４９に挿通され、前頭部側部材３６の挿通穴４２に挿通され、更に後頭部側部材３７の挿通穴４３に挿通されて他端部が第二のリベット５３によって後頭部側部材３７に固着されている。これにより、図１１に示す通り、上側紐部４６は連結部材４８がヘルメット装着具２の下方に位置した状態で略三角形を呈する状態となり、また、この上側紐部４６によって前頭部側部材３６と後頭部側部材３７の端部同士（前頭部側部材３６の一端部と後頭部側部材３７の他端部と、及び、前頭部側部材３６の他端部と後頭部側部材３７の一端部と）が連結された状態となっている。
【００３７】
下側紐部４７は、一端部側が連結部材４８の一番下の挿通穴５１に挿通されて折り返された状態で下側紐部４７の一部に第三のリベット５４で固着されている。また、一対の下側紐部４７，４７はそれぞれベルトアジャスタ５５に挿通されており（図１参照）、更にこの実施の形態ではそれぞれの下側紐部４７，４７の他端部がリング部材５６に結びつけられている。このリング部材５６はそれぞれの下側紐部４７，４７を連結させる機能に加え、ベルトアジャスタ５５の抜け止め用の機能も果たす。
【００３８】
次に、この実施の形態のヘルメット１Ａの使用方法について説明する。
【００３９】
このヘルメット１Ａを使用する装着者は、ヘルメット帽体１の前頭部保護部材３及び庇部４を前にして頭部にヘルメット１Ａを被る。そして、頭頂部がハンモック３０に当接した状態で、装着者は両方の上側紐部４６，４６がそれぞれ形成する略三角形の空間（図１１参照）の中に耳を挿通させ、下側紐部４７，４７を顎の下方に垂らした状態とする。
【００４０】
この状態で、装着者が下側紐部４７，４７を下方（図１２、図１３の矢印Ｐ方向）に引き下ろすと、連結部材４８を介してそれぞれの上側紐部４６，４６にも下方に引き下ろす力が働き、前頭部側部材３６と後頭部側部材３７の端部同士（前頭部側部材３６の一端部と後頭部側部材３７の他端部と、及び、前頭部側部材３６の他端部と後頭部側部材３７の一端部と）には、図１３の矢印Ｑ１及び矢印Ｑ２に示す方向の力が働き、これら端部同士がそれぞれ近接方向に引き寄せられることになる。その結果、図１２及び図１３に示す、右側頭部側間隙部３９（及び左側頭部側間隙部３８）の幅が広い状態から、図１４及び図１５に示す、右側頭部側間隙部３９（及び左側頭部側間隙部３８）の幅が狭められた状態からとなる。
【００４１】
これにより、装着者はヘッドバンド本体部３２の前頭部側部材３６と後頭部側部材３７とを頭部に密着させて装着させることができる。そして、この状態で、装着者がベルトアジャスタ５５を上方に移動させて顎に当接させれば、ヘッドバンド本体部３２が頭部に密着した状態を維持し、ヘルメット１Ａを頭部に固定させすることができる。更に、装着者はヘルメット１Ａを被った状態のままでベルトアジャスタ５５の位置を調節すれば、それに伴って右側頭部側間隙部３９及び左側頭部側間隙部３８の幅を調節できて、ヘルメット１Ａの固定状態を容易に調節することができる。
【００４２】
一方、ヘルメット１Ａを頭部から離脱させる際は、装着者はベルトアジャスタ５５を下方に引き下ろす。これにより、前頭部側部材３６と後頭部側部材３７とはそれぞれの弾性によって前頭部側部材３６と後頭部側部材３７の端部同士を離間させる方向（即ち、図１５の矢印Ｑ３及び矢印Ｑ４に示す方向）に移動し、これによって前頭部側部材３６と後頭部側部材３７との頭部への密着状態を緩め、ヘルメット１Ａを頭部から離脱させることができる。
【００４３】
そして、ヘッドバンド本体部３２は繰り返しの使用や長期間の使用によっても伸びや剛性の低下が生じにくい材質で形成されているため、繰り返し使用したり、長期間にわたって使用を続けてもヘルメット１Ａを頭部にしっかり固定させることができる。
【００４４】
次に、ヘルメット１Ａを複数積み重ねて保管したり流通させる場合、図１６に示すように、下側のヘルメット１Ａのヘルメット帽体１の前側載置用突起部１８、及び後側載置用突起部２２の上面にそれぞれ形成された平面形状の部分の上に、前頭部側部材３６、後頭部側部材３７の端部の下部をそれぞれ載置させる。図１６には図示しないが、同様に、前側載置用突起部１７、及び後側載置用突起部２１の上面にも前頭部側部材３６、後頭部側部材３７の端部の下部をそれぞれ載置させる。
【００４５】
下側のヘルメット１Ａの前側載置用突起部１７，１８及び後側載置用突起部２１，２２の上面に設けられた平面形状の上に上側のヘルメット１Ａの前頭部側部材３６、後頭部側部材３７の端部の下部を載置させることにより、ヘルメット１Ａを複数積み重ねたときの個々のヘルメット１Ａの載置位置が固定され、積み重ねられたヘルメット１Ａの位置ずれを防止できる。即ち、図１７に示す通り、前方に向けて下降方向に傾斜がつけられた前側載置用突起部１８（及び図１７に図示せぬ前側載置用突起部１７）の上面に、下方に向けて凸となった前頭部側部材３６の両端部が載置され、更に、略水平面に形成された後側載置用突起部２２（及び図１７に図示せぬ後側載置用突起部２１）の上面に略直線状の後頭部側部材３７の端部の下部が接触した状態で載置されることにより、前側載置用突起部１７,１８と前頭部側部材３６との当接位置、及び後側載置用突起部２１,２２と後頭部側部材３７との当接位置には強い摩擦力が働き、他のヘルメット１Ａの上に積み重ねられたヘルメット１Ａがの積載位置が前後方向（図１６、図１７の左右方向）にずれてしまう事態を防止できる。これにより、ヘルメット１Ａを多数積み重ねても、他のヘルメット１Ａの上に積み重ねられたヘルメット１Ａがぐらついたり、荷崩れを起こす事態が生じにくくなる。
【００４６】
更に、ヘルメット１Ａを積み重ねる際には、右側頭部側間隙部３９及び左側頭部側間隙部３８の幅が広がった状態となっているので（図１７参照）、図１６の矢印Ｔに示す積み重ねた際の積層方向の大きさを抑え、かさばりを抑えることができる。
【００４７】
以上、この実施の形態においては、頭部の周囲を囲繞するように配設されるヘッドバンド３１は、頭部の周囲方向に連続する帯状のヘッドバンド本体部３２とヘッドバンド本体部３２の間の少なくとも一箇所に形成された間隙部とを有し、ヘッドバンド本体部３２の端部同士が間隙部において顎紐４５によって連結され、顎紐４５を引くことで端部同士が近接方向に引き寄せられてヘッドバンド本体部３２を頭部に密着させて装着させるように形成されたことにより、ヘルメット１Ａを頭部に固定するための特別な構成を付加することなく、ヘッドバンド３１と顎紐４５とのみによってヘルメット１Ａを頭部に固定できる。また、ヘルメット１Ａを頭部に被った使用者が顎紐４５を引く操作によりヘルメット１Ａを頭部に固定させて装着することができる。これにより、簡単な構成によりヘルメット１Ａを頭部に固定でき、長期間繰り返して使用しても良好な固定状態が得られ、ヘルメット１Ａを頭部に被った状態で固定状態を調節して良好なフィット感を得ることができる。
【００４８】
この実施の形態においては、間隙部は頭部に装着された際に側頭部の位置に形成されたことにより、通常顎紐４５とヘッドバンド３１とが連結される側頭部の位置付近に間隙部及びヘッドバンド本体部３２の端部が配設されることになる。従って、通常の顎紐４５の端部とヘッドバンド３１との連結位置をほぼ変えることなく、ヘッドバンド３１と顎紐４５のみによってヘルメット１Ａを頭部に固定できる。
【００４９】
この実施の形態においては、ヘッドバンド本体部３２は頭部に装着された際に前頭部側に配設される前頭部側部材３６と頭部に装着された際に後頭部側に配設される後頭部側部材３７とを備え、間隙部は右側頭部側間隙部３９と左側頭側間隙部３８とから成ることにより、両側頭部の位置付近に間隙部及びヘッドバンド本体部３２の端部が配設されることになる。従って、通常の顎紐４５の両端部とヘッドバンド３１との連結位置をほぼ変えることなく、ヘッドバンド３１と顎紐４５とのみによってヘルメット１Ａを頭部に固定できる。
【００５０】
この実施の形態においては、ヘルメット帽体１の外部の少なくとも一部に、同一のヘルメット１Ａを積み重ねた際にヘルメット１Ａのヘッドバンド本体部３２が当接される前側載置用突起部１７，１８及び後側載置用突起部２１，２２が突設されたことにより、同一のヘルメット１Ａを複数積み重ねた際に一のヘルメット１Ａを他のヘルメット１Ａの各載置用突起部１７，１８，２１，２２上で固定し、同一のヘルメット１Ａを複数積み重ねた際に積層状態を安定させて荷崩れを防止できる。しかも、一のヘルメット１Ａのヘッドバンド本体部３２の端部同士を離間させた状態で、このヘッドバンド本体部３２を他のヘルメット帽体１の各載置用突起部１７，１８，２１，２２上に載置させることで、積層方向のかさばりを抑えることができる。これにより、多数のヘルメット１Ａを一度に物流させる際や陳列する際の利便性を向上させることができる。
【００５１】
この実施の形態においては、ヘルメット帽体１は複数の多角形の組み合わせによって頭部を覆う形状に形成されたことにより、多角形の組み合わせを変化させることで多様な形状を容易に形成することが可能になる。また、ヘルメット帽体１の特定箇所に多角形の角を配置することで当該特定箇所の強度を高めることができる。これにより、ヘルメット帽体１の形状のバリエーションを容易に増やすとともにデザイン性を高め、かつヘルメット帽体１中の特定箇所の強度を容易に高めることができる。
【００５２】
この実施の形態においては、ヘルメット帽体１は樹脂により一体成形されたことにより、ラインによる大量生産に適したヘルメット帽体１を提供し、歩留まりの向上とコストダウンを図ることができる。
【００５３】
なお、この実施の形態においては、ヘッドバンド本体部３２が前頭部側部材３６と後頭部側部材３７という二つの部材を備えると共に両部材３６，３７の間に左側頭部側間隙部３８と右側頭部側間隙部３９という二つの間隙部を形成し、顎紐４５を引くことで両間隙部３８，３９が狭められてヘッドバンド本体部３２を頭部に密着させる構成としたが、これに代えて、前頭部側部材３６と後頭部側部材３７とを連続する一本の部材で形成し、間隙部が一つだけ形成され、顎紐４５を引くことでこの一つの間隙部が狭められてヘッドバンド本体部３２を頭部に密着させる構成としてもよい。また、この実施の形態においては、両間隙部３８，３９は頭部に装着された際に両側頭部の位置に形成されているが、これに限定されず、頭部に装着された際に前頭部の位置や後頭部の位置に間隙部が形成されるものとしてもよい。
【００５４】
また、この実施の形態においては、複数の多角形の組み合わせによって頭部を覆う形状に形成されたヘルメット帽体１に、ヘッドバンド本体部３２の前頭部側部材３６と後頭部側部材３７との間に左側頭部側間隙部３８と右側頭部側間隙部３９とが形成されたヘルメット装着具２を配設し、両部材３６，３７の端部同士が両間隙部３８，３９において顎紐４５によって連結された構成としたが、これに限定されず、この実施の形態のヘルメット装着具２と顎紐４５とを、他の構成のヘルメット帽体内部に配設することでこの実施の形態と同様の効果を得ることもできる。具体的には、例えば、平板状態で形状が安定する部材で成形された複数枚の板材を備え、折畳んだ状態でこれらの板材が扁平状態となり、展開した状態で頭部に被れる形状となる折畳み式のヘルメット帽体や、略半球型及びそれに類する外形を有する、防災用、工事用、スポーツ用、乗車用、警察用、消防用等各種用途用のヘルメット帽体の内部にこの実施の形態のヘルメット装着具２と顎紐４５とを配設することが考えられる。更に、これらのヘルメット帽体の外部にこの実施の形態と同様の各載置用突起部１７，１８，２１，２２を設け、この実施の形態と同様に多数のヘルメットを物流、陳列する際の利便性を向上させることもできる。
【００５５】
また、この実施の形態においては、ヘルメット帽体１に計４つの載置用突起部１７，１８，２１，２２が突設されるものとしたが、これに限定されず、多数のヘルメット１Ａを一度に物流させる際や陳列する際の利便性を向上させる機能を奏すれば、載置用突起部の数は４つより多くても少なくてもよい。また、この実施の形態においては、前側載置用突起部１７，１８の上面は傾斜がつけられた平面形状で、後側載置用突起部２１，２２は上面が略水平面の平面形状に形成されているが、これに限定されず、ヘルメット１Ａを複数積み重ねたときの個々のヘルメット１Ａの位置ずれを防止する機能を奏するものならば、後側載置用突起部２１，２２の上面にも傾斜がつけられていてもよいし、全ての突起部１７，１８，２１，２２の上面が略水平面に形成されていてもよい。
【００５６】
上記実施の形態は本発明の例示であり、本発明が上記実施の形態に限定されることを意味するものではないことは、いうまでもない。
【符号の説明】
【００５７】
１Ａ・・・ヘルメット
１・・・ヘルメット帽体
２・・・ヘルメット装着具
１７，１８・・・前側載置用突起部（載置用突起部）
２１，２２・・・後側載置用突起部（載置用突起部）
３０・・・ハンモック
３１・・・ヘッドバンド
３２・・・ヘッドバンド本体部
３６・・・前頭部側部材（ヘッドバンド本体部）
３７・・・後頭部側部材（ヘッドバンド本体部）
３８・・・左側頭部側間隙部（間隙部）
３９・・・右側頭部側間隙部（間隙部）
４５・・・顎紐
【図１】
2010189803.tif 000003
【図２】
2010189803.tif 000004
【図３】
2010189803.tif 000005
【図４】
2010189803.tif 000006
【図５】
2010189803.tif 000007
【図６】
2010189803.tif 000008
【図７】
2010189803.tif 000009
【図８】
2010189803.tif 000010
【図９】
2010189803.tif 000011
【図１０】
2010189803.tif 000012
【図１１】
2010189803.tif 000013
【図１２】
2010189803.tif 000014
【図１３】
2010189803.tif 000015
【図１４】
2010189803.tif 000016
【図１５】
2010189803.tif 000017
【図１６】
2010189803.tif 000018
【図１７】
2010189803.tif 000019